(57)【要約】  本願発明は、安価な構成で、確実な動作が継続し、さらに省スペース化が達成されるロック・リリース機構を提供する。本願発明のロック・リリース機構は、一方向の移動範囲を規定する第１及び第２のハウジングブロックと、移動方向に沿って形成され、第１のハウジングブロック側に傾斜面を有し、第１のハウジングブロック側の第１の開口部及び前記第２のハウジングブロック側の第２の開口部を有する貫通装着溝と有し且つ所定の位置に形成される第１の係合凹部を有する第１のスライダと、前記貫通装着溝内に収容され、前記第２の開口部と略等しい幅を有するスライダ本体部、該スライダ本体部から延出し前記第１の開口部と略等しい幅を有し、前記傾斜面底部側に斜めに延出する延出部、及び該延出部から突出する規定突起部によって構成され、前記第１の係合凹部と所定の位置で整合する第２の係合凹部を有する第２のスライダと、前記第１のスライダを前記第２のハウジングブロック側に付勢するスプリングと、前記第１のハウジングブロックから突出する突起部と、整合した前記第１の係合凹部及び第２の係合凹部を所定の位置で保持するロック爪部とによって構成される。
2009008048.tif 000002
【特許請求の範囲】
【請求項１】
一方向の移動範囲を規定する第１及び第２のハウジングブロックと、
移動方向に沿って形成され、第１のハウジングブロック側に傾斜面を有し、第１のハウジングブロック側の第１の開口部及び前記第２のハウジングブロック側の第２の開口部を有する貫通装着溝を有し且つ所定の位置に形成される第１の係合凹部を有する第１のスライダと、
前記貫通装着溝内に収容され、前記第２の開口部と略等しい幅を有するスライダ本体部、該スライダ本体部から延出し前記第１の開口部と略等しい幅を有し、前記傾斜面底部側に斜めに延出する延出部、及び該延出部から突出する規定突起部によって構成され、前記第１の係合凹部と所定の位置で整合する第２の係合凹部を有する第２のスライダと、
前記第１のスライダを前記第２のハウジングブロック側に付勢するスプリングと、
前記第１のハウジングブロックから突出する突起部と、
整合した前記第１の係合凹部及び第２の係合凹部を所定の位置で保持するロック爪部とによって構成されることを特徴とするロック・リリース機構。
【請求項２】
前記第１のスライダ及び前記第２のスライダが前記第２のハウジングブロックに当接し、前記第２のスライダの延出部が前記傾斜面に沿って前記突起部に対してずれた位置に移動して突出し、前記第１の係合凹部と前記第２の係合凹部がずれた位置にある第１の状態と、
外力によって前記第１のスライダが押し込まれて前記第１のハウジングブロックに当接すると共に、前記第２のスライダが前記第１のスライダと共に移動し、前記第２のスライダの規定突起部が前記第１のハウジングブロックの突起部からずれて前記第１のハウジングブロックに当接すると共に、前記第１の係合凹部と前記第２の係合凹部が整合する第２の状態と、
前記第２の状態を維持しながら、前記スプリングの付勢力で第１のスライダ及び第２のスライダが第２のハウジングブロック側に移動し、整合した前記第１の係合凹部及び前記第２の係合凹部に前記ロック爪部が噛合して停止すると共に、前記規定突起部が前記突起部と対峙する位置に移動する第３の状態と、
外力によって、第２のスライダの規定突起部が前記突起部に突き当たると共に、前記第１のスライダが前記第１のハウジングブロックに当接するように移動して、前記第１の係合凹部が前記第２の係合凹部に対してずれ、前記ロック爪部のロックが解除される第４の状態とを少なくとも具備する請求項１記載のロック・リリース機構。
【発明の詳細な説明】
【技術分野】
【０００１】
この発明は、例えばメモリカードの装着と取り出し、プッシュスイッチのロック及び解除に使用されるロック・リリース機構に関する。
【背景技術】
【０００２】
特許文献１は、メモリカードに当接し、スライド可能なスライダとカードロックとをボディに備えるソケットを開示する。この特許文献１において、前記ボディは、メモリカードが挿入される方向に向かってメモリカード側に傾斜した傾斜面を有し、ロック用切欠と係合部とが係合した状態からメモリカードを抜脱する方向にスライダが移動すると、カードロックの弾接部が傾斜面に沿って移動することにより、弾接部と一体の係合部が移動し、ロック用切欠と係合部との係合が解除される構成となっている。また、この特許文献１において、メモリカードを取り出すために、メモリカードを押してスライダを前方に移動させ、弾接部を傾斜面に沿って係合部と共に右方向に移動させ、メモリカードがハウジングから取り出し可能な位置まで移動したときに、ロック用切欠と係合部との係合が解除されるようになっている。【０００３】
特許文献２は、ハウジングと、スライダと、スライダを小型メモリカードの排出方向へ設けて弾性付勢するコイルバネと、該カードの装着位置でスライダがロックされると共に該カードをその装着位置から一旦奥方へ押し込むことによりスライダのロック状態が解除される排出機構とを備え、スライダにカードの凹部と係脱可能な突出部を形成し、該ガードの排出位置で突出部が凹部から離脱する方向にスライダを揺動可能となすと共に、該カードの装着位置へスライダの動きを規制するように構成したカード用コネクタ装置を開示する。また、排出機構は、スライダと、係合ピンと、コイルバネによって構成され、前記係合ピン１６の自由端は、ハート型カム溝と案内溝とを移動するようになっている。
【特許文献１】特開２００３−６５７６号公報
【特許文献２】特開２００４−３９４３７号公報
【発明の開示】
【発明が解決しようとする課題】
【０００４】
プッシュスイッチや、上述した特許文献に記載されるように、例えば小型メモリカードの装着に使用される着脱機構は、そのものを押し込むことによってそのものを装着し、さらにもう一度押し込むことによって装着が解除され、そのものが取り出しやすい位置まで排出される構造になっており、その動作そのものは既に公知である。【０００５】
上述した動作を達成する着脱機構として、特許文献１には、従来構成において、係合爪が合成樹脂成形品であったために、係合爪の摩耗によってメモリカードの係止力が低下することがあったが、この特許文献１の発明ではカードロックが金属製であるから係止力の低下がないことが記載されている。しかしながら、この特許文献１では、硬い金属製のカードロックが、合成樹脂製のカードガイドに形成された傾斜面を移動することから、この傾斜面の損傷が激しいため、安定した動作を継続して達成できないという不具合があり、またこれを解消するために、この傾斜面の硬度を向上させるために、金属で形成するとコスト高になるという問題点がある。【０００６】
また、特許文献２に開示される構成では、係合ピンが移動するハート型カム溝及び案内溝を形成することから、係合ピンは、コイルバネの強度に耐える太さが必要であり、また係合ピンが噛合するハート型カム溝及び案内溝の幅もこれに対応させて形成する必要があるため、ある程度の幅が必要となることから、有る程度の空間が必要となるという問題点がある。【０００７】
以上のことから、本願発明は、安価な構成で、確実な動作が継続し、さらに省スペース化が達成されるロック・リリース機構を提供することにある。
【課題を解決するための手段】
【０００８】
したがって、本願発明のロック・リリース機構は、一方向の移動範囲を規定する第１及び第２のハウジングブロックと、移動方向に沿って形成され、第１のハウジングブロック側に傾斜面を有し、第１のハウジングブロック側の第１の開口部及び前記第２のハウジングブロック側の第２の開口部を有する貫通装着溝を有し且つ所定の位置に形成される第１の係合凹部を有する第１のスライダと、前記貫通装着溝内に収容され、前記第２の開口部と略等しい幅を有するスライダ本体部、該スライダ本体部から延出し前記第１の開口部と略等しい幅を有し、前記傾斜面底部側に斜めに延出する延出部、及び該延出部から突出する規定突起部によって構成され、前記第１の係合凹部と所定の位置で整合する第２の係合凹部を有する第２のスライダと、前記第１のスライダを前記第２のハウジングブロック側に付勢するスプリングと、前記第１のハウジングブロックから突出する突起部と、整合した前記第１の係合凹部及び第２の係合凹部を所定の位置で保持するロック爪部とによって構成されるものである。【０００９】
また、以上の構成のロック・リリース機構は、さらに、前記第１のスライダ及び前記第２のスライダが前記第２のハウジングブロックに当接し、前記第２のスライダの延出部が前記傾斜面に沿って前記突起部に対してずれた位置に移動して突出し、前記第１の係合凹部と前記第２の係合凹部がずれた位置にある第１の状態と、外力によって前記第１のスライダが押し込まれて前記第１のハウジングブロックに当接すると共に、前記第２のスライダが前記第１のスライダと共に移動し、前記第２のスライダの規定突起部が前記第１のハウジングブロックの突起部からずれて前記第１のハウジングブロックに当接すると共に、前記第１の係合凹部と前記第２の係合凹部が整合する第２の状態と、前記第２の状態を維持しながら、前記スプリングの付勢力で第１のスライダ及び第２のスライダが第２のハウジングブロック側に移動し、整合した前記第１の係合凹部及び前記第２の係合凹部に前記ロック爪部が噛合して停止すると共に、前記規定突起部が前記突起部と対峙する位置に移動する第３の状態と、外力によって第２のスライダの規定突起部が前記突起部に突き当たると共に、前記第１のスライダが前記第１のハウジングブロックに当接するように移動して、前記第１の係合凹部が前記第２の係合凹部に対してずれ、前記ロック爪部のロックが解除される第４の状態とを少なくとも具備するものである。【００１０】
これによって、第１のスライダ及び第２のスライダが第１の状態にある時に、外力によって第１の状態から第２の状態に移行し、第１の係合凹部と第２の係合凹部が整合し、スプリングの付勢力により第３の状態でロック爪部によってロックされる。また、このロックを解除する場合には、再度第１のハウジングブロック側に外力を加えることによって、第１のスライダと第２のスライダは、第４の状態へ移行し、第１の係合凹部と第２の係合凹部との整合が解除されてロック爪部が離脱し、前記スプリングの付勢力によって第１の状態へ戻り、初期状態に復帰する。【００１１】
前記外力としては、スイッチの押圧や、メモリカードの挿入力又はそれらと力とリンクする機構を介して伝達される力であることが望ましい。
【発明の効果】
【００１２】
本願発明のロック・リリース機構は、第２のスライダが第１のスライダ内に配置されるため、幅方向において省スペースが達成される。また、第２のスライダの延出部が第１のスライダに形成された傾斜面に沿って、最小限の変位しかせずにロック、ロック解除が実行されるので、動作が安定していると共に機構自体の寿命が長いという効果を奏する。
【図面の簡単な説明】
【００１３】
【図１】本願発明のロック・リリース機構の使用した一例を示した説明斜視図である。
【図２】本願発明のロック・リリース機構の一部を構成する部品であって、ハウジングに形成されるものを示した説明斜視図である。
【図３】本願発明の第１のスライダの一例を示した説明斜視図である。
【図４】本願発明の第２のスライダの一例を示した説明斜視図である。
【図５】本願発明のロック・リリース機構の動作を説明した説明図である。
【符号の説明】
【００１４】
１  ロック・リリース機構
２  メモリカード
３  ハウジング
４  第１のスライダ
５  スプリング
６  第２のスライダ
３１  第１のハウジングブロック
３２  第２のハウジングブロック
３３  突起部
３４  ロック爪部
３５  スプリング固定突起
４１  貫通装着溝
４２  傾斜面
４３  第１の開口部
４４  第２の開口部
４５  第１の係合凹部
４６  力学的保持部
４７  傾斜面底部
６１  スライダ本体部
６２  延出部
６３  規定突起部
６４  第２の係合凹部
【発明を実施するための最良の形態】
【００１５】
以下、この発明の実施例について図面により説明する。
【実施例】
【００１６】
本願発明に係るロック・リリース機構１は、例えば図１に示すように、メモリカード２が装着されるハウジング３に設けられ、メモリカード２の挿入後の固定、取り出し時の固定解除及び放出動作を行うものである。【００１７】
前記ロック・リリース機構１は、前記ハウジング３に一体に形成された第１のハウジングブロック３１と、第２のハウジングブロック３２とを有し、これらによって下記する第1のスライダ４の移動範囲を規定するものである。【００１８】
また、前記ハウジング３には、図２で示すように、前記第１のハウジングブロック３１から突出する突起部３３と、ロック爪部３４が形成される。さらに、ハウジング３には、前記第１のスライダ４を前記第２のハウジングブロック３２側に付勢するスプリング５を固定するためのスプリング固定突起３５が形成される。【００１９】
また、前記第1のスライダ４は、図３に示すように、中央を移動方向に沿って形成された貫通装着溝４１を有し、さらに、この貫通装着溝４１は、第１のハウジングブロック３１側に傾斜面４２を有し、この傾斜面４２によって幅が狭くなった第１のハウジングブロック３１側に位置する第１の開口部４３と、前記第２のハウジングブロック３２側に位置する第２の開口部４４とを有する。さらにまた、前記貫通装着溝４１の一方の縁部の側面には、所定の位置に第１の係合凹部４５が形成されるものである。また、この第1のスライダ４は、前記メモリカード２の側面形状と一致する形状を有し、該第1のスライダ４にメモリカード２を押し込む力を外力として受け止める力学的保持部４６を有するものである。【００２０】
前記第1のスライダ４の前記貫通装着溝４１内に収容される第２のスライダ６は、前記第２の開口部４４と略等しい幅を有するスライダ本体部６１と、このスライダ本体部６１の一方の側から延出し前記第１の開口部４３と略等しい幅を有し、前記傾斜面底部４７側に傾斜して延出する延出部６２と、この延出部６２に一方の側から突出する規定突起部６３とによって構成され、さらに前記第１の係合凹部と所定の位置で整合する第２の係合凹部６４を有する。【００２１】
以上の構成のロック・リリース機構１において、図５（ａ）には、前記第１のスライダ４及び前記第２のスライダ６が前記第２のハウジングブロック３２に当接し、前記第２のスライダ６の延出部６２の規定突起部６３が前記傾斜面４２に沿って前記突起部３３に対してずれた位置に移動して突出し、前記第１の係合凹部４５と前記第２の係合凹部６４がずれた位置にある第１の状態が示される。この第1の状態は、この実施例においては、メモリカード２が装着されていない初期状態を示すものである。【００２２】
図５（ｂ）には、メモリカード２が装着のために押し込まれる時に生じる外力を第1のスライダ４が受けることによって、前記第１のスライダ４が押し込まれて前記第１のハウジングブロック３１に当接すると共に、前記第２のスライダ６が前記第１のスライダ４と共に移動し、前記第２のスライダ６の規定突起部６３が前記第１のハウジングブロック３１の突起部３３からずれて、前記第１のハウジングブロック３１に当接する第２の状態が示される。この第２の状態において、前記第１の係合凹部４５と前記第２の係合凹部６４が整合した状態となる。【００２３】
図５（ｃ）には、前記第２の状態から、外力が解除されると、前記第１のスライダ４及び前記第２のスライダ６は、第２の状態を維持しながら、前記スプリング５の付勢力で、第１のスライダ４及び第２のスライダ６が第２のハウジングブロック３２側に移動し、整合した前記第１の係合凹部４５及び前記第２の係合凹部６４に前記ロック爪部３４が噛合して停止し、前記規定突起部６３が前記突起部３３と対峙する位置に移動する第３の状態が示される。また、この第３の状態は、前記メモリカード２が装着され保持された状態を示している。【００２４】
さらに、前記メモリカード２を取り出したい時には、メモリカード２を押し込むことによって第１のスライダ４に外力が加わり、この外力によって、第２のスライダ６の規定突起部６３が前記突起部３３に突き当たると共に、前記第１のスライダ４が前記第１のハウジングブロック３１に当接するように移動して、前記第１の係合凹部４５が前記第２の係合凹部６４に対してずれ、前記ロック爪部３４のロックが解除される図５（ｄ）で示すような第４の状態となる。【００２５】
この第４の状態から外力がなくなると、スプリング５の付勢力により、第１の状態に戻り、メモリカード２は取り出せる状態となるものである。
【産業上の利用可能性】
【００２６】
本願発明に開示されるロック・リリース機構は、上記メモリカードの装着・解除に使用されるだけでなく、押しボタン式のプッシュプッシュスイッチ機構にも利用することができる。この場合は、第１のスライダ及び第２のスライダを指で押すように構成することによって上記作用を達成できる。【００２７】
また、前記ロック・リリース機構を、前記第１のスライダ及び第２のスライダが円弧状を動くように構成することによって、ダッシュボードの収納庫の蓋の開閉に利用することができる。
【図１】
2009008048.tif 000003
【図２】
2009008048.tif 000004
【図３】
2009008048.tif 000005
【図４】
2009008048.tif 000006
【図５】
2009008048.tif 000007
【国際調査報告】
2009008048.tif 000008
2009008048.tif 000009